(57)【要約】【課題】通話中または留守番電話に設定されているときに画像を送信することができる画像形成装置を提供する。【解決手段】画像形成装置１００は、Ｗｅｂサーバー３００から提供されるＷｅｂ画面５００を操作パネルに表示し、画像と音声の送信操作を行う。受信側の画像形成装置１００は、送信側の画像形成装置１００からＷｅｂ画面５００の情報を受信し、Ｗｅｂ画面５００を操作パネルに表示し、画像と音声の受信操作を行う。Ｗｅｂサーバー３００から提供されるＷｅｂ画面５００を使用することで、画像の送受信と音声の送受信をＳＩＰサーバー２００の１つのコネクションで共有できるので、通話中でも画像の送受信が可能となる。また、受信側の画像形成装置１００に留守番電話が設定されているときには、送信側の画像形成装置１００に録音された音声と保存された画像を留守番電話の設定が解除されるタイミングで受信側の画像形成装置１００に送信する。【選択図】図１
2015005912.tif 000002
【特許請求の範囲】
【請求項１】
Ｗｅｂサーバーから受信したＷｅｂ画面から画像を送受信する画像送受信手段と、
前記Ｗｅｂ画面から音声を送受信する音声送受信手段と
を備え、
前記Ｗｅｂサーバーから受信した前記Ｗｅｂ画面の情報を受信側の画像形成装置に送信し、
受信側の前記画像形成装置に留守番電話が設定されているときに、送信する画像と音声を保存し、前記留守番電話の設定が解除されたときに画像と音声を送信することを特徴とする画像形成装置。
【請求項２】
画像形成装置、ＳＩＰサーバー、及びＷｅｂサーバーを有する画像形成システムにおいて、
前記ＳＩＰサーバーは、
前記画像形成装置のコネクションを確立するコネクション確立手段を備え、
前記Ｗｅｂサーバーは、
前記コネクションにより画像を送受信する画像送受信手段と、
前記コネクションにより音声を送受信する音声送受信手段とを備え、
前記画像形成装置は、前記画像送受信手段により画像を送受信し、前記音声送受信手段により音声を送受信することを特徴とする画像形成システム。
【請求項３】
前記画像送受信手段と前記音声送受信手段は、前記Ｗｅｂサーバーから受信したＷｅｂ画面から実行されることを特徴とする請求項２に記載の画像形成システム。
【請求項４】
前記Ｗｅｂ画面は、送信側の前記画像形成装置が前記Ｗｅｂサーバーから受信し、送信側の前記画像形成装置から受信側の前記画像形成装置に前記Ｗｅｂ画面の情報を送信することを特徴とする請求項３に記載の画像形成システム。
【請求項５】
受信側の前記画像形成装置に留守番電話が設定され、送信側の前記画像形成装置が画像のみを送信するときには、画像が前記画像送受信手段により受信側の前記画像形成装置に送信されることを特徴とする請求項２から請求項４のいずれか１項に記載の画像形成システム。
【請求項６】
受信側の前記画像形成装置に留守番電話が設定され、送信側の前記画像形成装置が画像と音声を送信するときには、前記留守番電話の設定が解除されたときに画像と音声が送信されることを特徴とする請求項２から請求項５のいずれか１項に記載の画像形成システム。
【請求項７】
前記留守番電話の設定が解除されたときに送信される画像と音声は、送信側の前記画像形成装置に保存されることを特徴とする請求項６に記載の画像形成システム。
【発明の詳細な説明】
【技術分野】
【０００１】
本発明は、ＳＩＰ（Session Initiation Protocol）が搭載され、ＳＩＰにより画像及び音声の通信を行う画像形成装置、及び画像形成装置を有する画像形成システムに関する。
【背景技術】
【０００２】
プリンタ、多機能プリンタ、多機能周辺装置、又は複合機などのＭＦＰ（Ｍｕｌｔｉｆｕｎｃｔｉｏｎ  Ｐｅｒｉｐｈｅｒａｌ）である画像形成装置は、Ｆａｘ機能及び電話機能を備えている。このような画像装置において、電話で通話中に通話の相手とＦａｘ（ファクシミリ）により原稿の送受信が必要となったときには、一度通話を中止して電話のコネクションを切断してからＦａｘのコネクションを確立していた。そして、Ｆａｘにより原稿の送受信が終了すると、Ｆａｘのコネクションを切断してから、再び電話のコネクションを確立していた。このため、通話中でも通話の相手とＦａｘにより原稿の送受信できるようにする対策が行われた。例えば、特許文献１では、ゲートウェイ装置にＭＦＰと電話が接続され、ゲートウェイ装置がＳＩＰサーバーを介して他のゲートウェイ装置と接続されている通信システムにおいて、電話で通話中でも電話と同じゲートウェイ装置に接続されているＭＦＰであれば、原稿の画像を送受信するようにしていた。
【先行技術文献】
【特許文献】
【０００３】
【特許文献１】特開２０１２−９００２５号公報
【発明の概要】
【発明が解決しようとする課題】
【０００４】
しかし、特許文献１の通信システムでは、アナログＦａｘ(Ｇ３)とアナログ電話をゲートウェイ装置に接続し、ゲートウェイ装置によりＩＰ技術を用いて相手先のゲートウェイに送信しているため、双方にゲートウェイ装置を設置しなければならないのでコストがかかった。
【０００５】
本発明はこのような状況に鑑みてなされたものであり、上記課題を解決できる画像形成装置及び画像形成システムを提供することを目的とする。
【課題を解決するための手段】
【０００６】
本発明の画像形成装置は、Ｗｅｂサーバーから受信したＷｅｂ画面から画像を送受信する画像送受信手段と、前記Ｗｅｂ画面から音声を送受信する音声送受信手段とを備え、前記Ｗｅｂサーバーから受信した前記Ｗｅｂ画面の情報を受信側の画像形成装置に送信し、受信側の前記画像形成装置に留守番電話が設定されているときに、送信する画像と音声を保存し、前記留守番電話の設定が解除されたときに画像と音声を送信することを特徴としている。
本発明の画像形成システムは、画像形成装置、ＳＩＰサーバー、及びＷｅｂサーバーを有する画像形成システムにおいて、前記ＳＩＰサーバーは、前記画像形成装置のコネクションを確立するコネクション確立手段を備え、前記Ｗｅｂサーバーは、前記コネクションにより画像を送受信する画像送受信手段と、前記コネクションにより音声を送受信する音声送受信手段とを備え、前記画像形成装置は、前記画像送受信手段により画像を送受信し、前記音声送受信手段により音声を送受信することを特徴としている。
また、本発明の画像形成システムの前記画像送受信手段と前記音声送受信手段は、前記Ｗｅｂサーバーから受信したＷｅｂ画面から実行されることを特徴としている。
また、本発明の画像形成システムの前記Ｗｅｂ画面は、送信側の前記画像形成装置が前記Ｗｅｂサーバーから受信し、送信側の前記画像形成装置から受信側の前記画像形成装置に前記Ｗｅｂ画面の情報を送信としている。
また、本発明の画像形成システムは、受信側の前記画像形成装置に留守番電話が設定され、送信側の前記画像形成装置が画像のみを送信するときには、画像が前記画像送受信手段により受信側の前記画像形成装置に送信されることを特徴としている。
また、本発明の画像形成システムは、受信側の前記画像形成装置に留守番電話が設定され、送信側の前記画像形成装置が画像と音声を送信するときには、前記留守番電話の設定が解除されたときに画像と音声が送信されることを特徴としている。
また、本発明の画像形成システムは、前記留守番電話の設定が解除されたときに送信される画像と音声は、送信側の前記画像形成装置に保存されることを特徴としている。
【発明の効果】
【０００７】
本発明の画像形成装置及び画像形成システムは、ゲートウェイ装置を設置することなくＳＩＰを用いることで通話中または留守番電話に設定されているときでも、画像印刷要求と音声通話要求を送信することができる。
【図面の簡単な説明】
【０００８】
【図１】本発明の実施形態に係る画像形成システムのシステム構成を示す図である。
【図２】図１に示す画像形成システムの画像形成装置の機能構成を示す図である。
【図３】本発明の実施形態に係る画像印刷要求処理の手順を示す図である。
【図４】本発明の実施形態に係る通話中の画像印刷要求処理の手順を示す図である。
【図５】本発明の実施形態に係る留守番電話設定中の画像印刷要求処理の手順を示す図である。
【図６】本発明の実施形態に係る留守番電話設定中の画像印刷要求及び音声通話要求処理の手順を示す図である。
【発明を実施するための形態】
【０００９】
以下、本発明を実施するための形態（以下、「実施形態」という）を、図面を参照して説明する。実施形態の画像形成装置には、ＳＩＰが搭載され、画像の送受信と音声の送受信を１つのコネクションで共有するものである。送信側の画像形成装置は、予め決められたＷｅｂサーバーから提供されるＷｅｂ画面を操作パネルに表示し、画像と音声の送信操作をこのＷｅｂ画面から行うようにする。受信側の画像形成装置は、送信側の画像形成装置から送信されるＷｅｂ画面の情報によりＷｅｂ画面を操作パネルに表示し、画像と音声の受信操作をこのＷｅｂ画面から行うようにする。
【００１０】
まず、本発明の実施の形態に係る画像形成システム１０のシステム構成について、図１を用いて説明する。図１に示す画像形成システム１０は、送信側と受信側の画像形成装置１００、ＳＩＰサーバー２００、Ｗｅｂサーバー３００、及びネットワーク４００から構成されている。
画像形成装置１００は、プリンタ、ＭＦＰ、複合機等であり、ＳＩＰが搭載され、通信の相手側に対してＳＩＰサーバー２００によりコネクションを確立した後、ＩＰネットワークにおけるリアルタイムグループ３ファクシミリ通信手順であるＴ３８、音声や動画などのデータストリームをリアルタイムに送信するためのデータ転送プロトコルであるＲＴＰ（Real-time Transport Protocol）、ＨＴＴＰ（Hypertext Transfer Protocol）、及びＦＴＰ（File Transfer Protocol）などのプロトコルを使用することができる。
ＳＩＰサーバー２００は、ＳＩＰにより通信相手側に対して呼制御を行うことによりコネクションの確立を行い、送信側のＩＰアドレスと受信側のＩＰアドレスの対応付けを行う。
Ｗｅｂサーバー３００は、画像形成装置１００が実行可能なアプリケーションをネットワーク４００経由で提供する。このアプリケーションは、画像形成装置１００にダウンロードされるのでなく、Ｗｅｂ画面５００からＷｅｂサーバー３００のアプリケーションを実行する。
ネットワーク４００は、インターネットやイントラネット等の、例えばＩＰネットワークであり、複数の画像形成装置１００、ＳＩＰサーバー２００、及びＷｅｂサーバー３００などの装置を接続している。
【００１１】
次に、画像形成装置１００の機能構成について、図２を用いて説明する。図２に示す画像形成装置１００は、制御部１０１、補助記憶部１０２、記憶部１０３、操作パネル１０４、操作パネル処理部１０５、原稿読取部１０６、画像形成部１０７、音声処理部１０８、ネットワーク通信部１０９、及び画像印刷部１１０を備えている。制御部１０１、補助記憶部１０２、記憶部１０３、操作パネル処理部１０５、画像形成部１０７、音声処理部１０８、ネットワーク通信部１０９、及び画像印刷部１１０は、これら各部を接続するバスなどにより接続される構成となっている。
【００１２】
制御部１０１は、ＭＰＵ(Micro Processing Unit)やＣＰＵ(Central Processing Unit)等による制御手段を備え、各種Ｉ／Ｏや、ＵＳＢ（ユニバーサル・シリアル・バス）等のインターフェース、バスコントローラ等を含む総合的な画像形成装置１００のコントロールによりＷｅｂサーバー３００から提供されるＷｅｂ画面５００を表示する。制御部１０１には、Ｗｅｂサーバー３００に対してＷｅｂ画面５００の要求を送信し、受信したＷｅｂ画面５００を操作パネル１０４に表示するＷｅｂ画面処理部１０１ａが設けられている。
【００１３】
補助記憶部１０２は、フラッシュメモリ等からなる補助記憶装置で、制御部１０１が実行する処理のプログラムやデータが記憶される。補助記憶部１０２には、Ｗｅｂ画面情報保存エリア１０２ａ、送信画像保存エリア１０２ｂ、録音音声保存エリア１０２ｃ、及び留守番電話情報保存エリア１０２ｄが設けられている。
Ｗｅｂ画面情報保存エリア１０２ａには、画像形成装置１００がＷｅｂサーバー３００から提供されるアプリケーションを実行するためのＷｅｂ画面５００の情報が保存される。
送信画像保存エリア１０２ｂには、送信側の画像形成装置１００から受信側の画像形成装置１００に送信される画像が一時的に保存される。
録音音声保存エリア１０２ｃには、受信側の画像形成装置１００に留守番電話の設定がされているときに、送信側の画像形成装置１００が録音した音声が保存される。
留守番電話情報保存エリア１０２ｄには、受信側の画像形成装置１００に留守番電話の設定がされているときに、送信側の画像形成装置１００からの画像の送信要求や音声の通話要求の情報があったことを受信側の画像形成装置１００により保存される。
【００１４】
記憶部１０３は、データやプログラムを保存するハードディスクドライブである。また、記憶部１０３には、原稿読取部１０６により読み取られた原稿を画像形成部１０７により画像形成された原稿の画像データと、ネットワーク通信部１０９が受信した原稿の画像データなどを保存する原稿画像データ保存エリア１０３ａを備えている。
【００１５】
操作パネル１０４は、操作メニューの表示、ユーザーの指による操作を受け付ける。また、操作パネル１０４には、Ｗｅｂサーバー３００から提供されるアプリケーションを実行するためのＷｅｂ画面５００が表示される。
【００１６】
操作パネル処理部１０５は、画像形成装置１００が備えている機能の操作項目を操作パネル１０４に表示する処理、及び操作パネル１０４からユーザーが行う操作に対する操作データを入力する処理を行う。また、操作パネル処理部１０５は、Ｗｅｂ画面処理部１０１ａからの要求により、Ｗｅｂサーバー３００から提供されるアプリケーションを実行するためのＷｅｂ画面５００を操作パネル１０４に表示する。
【００１７】
原稿読取部１０６は、画像形成装置１００の原稿台にセットされた原稿の読み取りを行う。ユーザーが操作パネル１０４から読み取り要求を行うことにより、原稿台にセットされた原稿の読み取りを行うことができる。
【００１８】
画像形成部１０７は、ユーザーからの読み取り要求により原稿読取部１０６で読み取った原稿を、ＦＡＸやメールで送信可能及び印刷可能な画像に変換する。
【００１９】
音声処理部１０８は、マイクなどからの音声を入力する処理またはスピーカーやイヤホンなどに音声を出力する処理を行う。また、音声処理部１０８は、制御部１０１からの留守番電話が設定されている通知により、入力した音声を録音音声保存エリア１０２ｃに保存する。
【００２０】
ネットワーク通信部１０９は、着脱可能なＬＡＮインターフェースを備え、ネットワーク４００に接続する。ＬＡＮインターフェースには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００２１】
画像印刷部１１０は、ユーザーから印刷要求のあった画像をコピー用紙などに印刷する。
【００２２】
次に、画像形成システム１０における画像印刷要求処理の手順について、図３を用いて説明する。画像印刷要求処理は、送信側の画像形成装置１００から受信側の画像形成装置１００に対して画像を送信し、受信側の画像形成装置１００が画像を受信して印刷を行う処理である。まず、ユーザーが送信側の画像形成装置１００の操作パネル１０４からＷｅｂ画面５００の表示要求を行うと、操作パネル処理部１０５が制御部１０１にＷｅｂ画面５００の表示要求を出力する。制御部１０１がＷｅｂ画面５００の表示要求を入力すると、Ｗｅｂ画面処理部１０１ａを起動する。Ｗｅｂ画面処理部１０１ａが起動されることで、画像印刷要求処理が開始される。なお、画像印刷要求処理は、Ｗｅｂ画面５００からＷｅｂサーバー３００のアプリケーションを使用することで行われる。以下、図３に示す画像印刷要求処理についてステップ順に説明する。
【００２３】
まず、ステップＳ１０１において、送信側の画像形成装置１００のＷｅｂ画面処理部１０１ａ（以下、「送信側のＷｅｂ画面処理部１０１ａ」という）は、Ｗｅｂサーバー３００に対してＨＴＴＰｇｅｔコマンド（以下、「ＨＴＴＰｇｅｔ」という）によるＷｅｂ画面５００の要求を送信する。次いで、ステップＳ１０２において、送信側のＷｅｂ画面処理部１０１ａがＷｅｂサーバー３００からＷｅｂ画面５００を受信すると、Ｗｅｂ画面５００を操作パネル１０４に表示する。
【００２４】
次いで、ステップＳ１０３において、送信側の画像形成装置１００は、送信する画像を補助記憶部１０２の送信画像保存エリア１０２ｂから取り出し、送信側のＷｅｂ画面５００の送信ボックスに保存する。
【００２５】
次いで、ステップＳ１０４において、送信側のＷｅｂ画面５００から受信側の画像形成装置１００に対してＳＩＰによる呼制御を送信すると、受信側の画像形成装置１００は、送信側の画像形成装置１００のＩＰアドレスを取得する。次いで、ステップＳ１０５において、受信側の画像形成装置１００は、呼制御に対する応答として「OK」を、送信側の画像形成装置１００に送信する。
【００２６】
次いで、ステップＳ１０６において、受信側の画像形成装置１００は、送信側の画像形成装置１００に対してＨＴＴＰｇｅｔによる画像要求を送信する。次いで、ステップＳ１０７において、送信側の画像形成装置１００は、Ｗｅｂ画面５００から送信ボックスの画像を受信側の画像形成装置１００に送信する。受信側の画像形成装置１００は、この画像を画像印刷部１１０に出力することで、取得した画像を印刷する。
【００２７】
次いで、ステップＳ１０８において、受信側の画像形成装置１００は、送信側の画像形成装置１００に対してＳＩＰによる呼制御解除を送信し、画像印刷要求処理を終了する。次いで、ステップＳ１０９において、送信側の画像形成装置１００は、呼制御解除に対する応答として「OK」を、受信側の画像形成装置１００に送信し、画像印刷要求処理を終了する。
【００２８】
次に、画像形成システム１０における通話中の画像印刷要求処理の手順について、図４を用いて説明する。通話中の画像印刷要求処理は、送信側の画像形成装置１００から受信側の画像形成装置１００に対して通話中に画像を送信し、受信側の画像形成装置１００は通話中に画像を受信して印刷を行う処理である。まず、ユーザーが送信側の画像形成装置１００の操作パネル１０４からＷｅｂ画面５００の表示要求を行うと、操作パネル処理部１０５が制御部１０１にＷｅｂ画面５００の表示要求を出力する。制御部１０１がＷｅｂ画面５００の表示要求を入力すると、Ｗｅｂ画面処理部１０１ａを起動する。Ｗｅｂ画面処理部１０１ａが起動されることで、通話中の画像印刷要求処理が開始される。なお、通話中の画像印刷要求処理は、Ｗｅｂ画面５００からＷｅｂサーバー３００のアプリケーションを使用することで行われる。以下、図４に示す通話中の画像印刷要求処理についてステップ順に説明する。
【００２９】
まず、ステップＳ２０１において、送信側のＷｅｂ画面処理部１０１ａは、Ｗｅｂサーバー３００に対してＨＴＴＰｇｅｔによるＷｅｂ画面５００の要求を送信する。次いで、ステップＳ２０２において、送信側のＷｅｂ画面処理部１０１ａがＷｅｂサーバー３００からＷｅｂ画面５００を受信すると、Ｗｅｂ画面５００を操作パネル１０４に表示する。また、送信側のＷｅｂ画面処理部１０１ａは、受信したＷｅｂ画面５００の情報を補助記憶部１０２のＷｅｂ画面情報保存エリア１０２ａに保存する。
【００３０】
次いで、ステップＳ２０３において、送信側のＷｅｂ画面５００から受信側の画像形成装置１００に対してＳＩＰによる呼制御を送信すると、受信側の画像形成装置１００は、送信側の画像形成装置１００のＩＰアドレスを取得する。次いで、ステップＳ２０４において、受信側の画像形成装置１００は、呼制御に対する応答として「OK」を、送信側の画像形成装置１００に送信する。
【００３１】
次いで、ステップＳ２０５において、受信側の画像形成装置１００は、送信側の画像形成装置１００に対してＨＴＴＰｇｅｔによるＷｅｂ画面５００の要求を送信する。次いで、ステップＳ２０６において、送信側の画像形成装置１００は、補助記憶部１０２のＷｅｂ画面情報保存エリア１０２ａからＷｅｂ画面５００の情報を取り出し、受信側の画像形成装置１００に送信する。受信側の画像形成装置１００は、このＷｅｂ画面５００の情報により取り出したＷｅｂ画面５００を操作パネル１０４に表示する。
【００３２】
次いで、ステップＳ２０７において、送信側の画像形成装置１００から送信される音声を受信側の画像形成装置１００が受信し、また、ステップＳ２０８において、受信側の画像形成装置１００から送信される音声を送信側の画像形成装置１００が受信することで、通話を行う。
【００３３】
次いで、ステップＳ２０９において、送信側の画像形成装置１００は、送信する画像を補助記憶部１０２の送信画像保存エリア１０２ｂから取り出し、Ｗｅｂ画面５００の送信ボックスに保存する。
【００３４】
次いで、ステップＳ２１０において、送信側の画像形成装置１００は、受信側の画像形成装置１００に対してＨＴＴＰｐｏｓｔコマンド（以下、「ＨＴＴＰｐｏｓｔ」という）による画像要求を送信する。次いで、ステップＳ２１１において、受信側の画像形成装置１００は、呼制御に対する応答として「OK」を、送信側の画像形成装置１００に送信する。
【００３５】
次いで、ステップＳ２１２において、受信側の画像形成装置１００は、送信側の画像形成装置１００に対してＨＴＴＰｇｅｔによる画像要求を送信する。次いで、ステップＳ２１３において、送信側の画像形成装置１００は、Ｗｅｂ画面５００から送信ボックスの画像を受信側の画像形成装置１００に送信する。受信側の画像形成装置１００は、この画像を画像印刷部１１０に出力することで、取得した画像を印刷する。
【００３６】
次いで、ステップＳ２１４において、送信側の画像形成装置１００から送信される音声を受信側の画像形成装置１００が受信し、また、ステップＳ２１５において、受信側の画像形成装置１００から送信される音声を送信側の画像形成装置１００が受信することで、通話を行う。
【００３７】
次いで、ステップＳ２１６において、受信側の画像形成装置１００は、送信側の画像形成装置１００に対してＳＩＰによる呼制御解除を送信し、通話中の画像印刷要求処理を終了する。次いで、ステップＳ２１７において、送信側の画像形成装置１００は、呼制御解除に対する応答として「OK」を、受信側の画像形成装置１００に送信し、通話中の画像印刷要求処理を終了する。
【００３８】
次に、画像形成システム１０における留守番電話設定中の画像印刷要求処理の手順について、図５を用いて説明する。留守番電話設定中の画像印刷要求処理は、送信側の画像形成装置１００から留守番電話が設定されている受信側の画像形成装置１００に対して画像印刷要求を送信し、受信側の画像形成装置１００は留守番電話の設定が解除されると画像を受信して印刷を行う処理である。まず、ユーザーが送信側の画像形成装置１００の操作パネル１０４からＷｅｂ画面５００の表示要求を行うと、操作パネル処理部１０５が制御部１０１にＷｅｂ画面５００の表示要求を出力する。制御部１０１がＷｅｂ画面５００の表示要求を入力すると、Ｗｅｂ画面処理部１０１ａを起動する。Ｗｅｂ画面処理部１０１ａが起動されることで、留守番電話設定中の画像印刷要求処理が開始される。なお、留守番電話設定中の画像印刷要求処理は、Ｗｅｂ画面５００からＷｅｂサーバー３００のアプリケーションを使用することで行われる。以下、図５に示す留守番電話設定中の画像印刷要求処理についてステップ順に説明する。
【００３９】
まず、ステップＳ３０１において、送信側のＷｅｂ画面処理部１０１ａは、Ｗｅｂサーバー３００に対してＨＴＴＰｇｅｔによるＷｅｂ画面５００の要求を送信する。次いで、ステップＳ２０２において、送信側のＷｅｂ画面処理部１０１ａがＷｅｂサーバー３００からＷｅｂ画面５００を受信すると、Ｗｅｂ画面５００を操作パネル１０４に表示する。
【００４０】
次いで、ステップＳ３０３において、送信側の画像形成装置１００は、送信する画像を補助記憶部１０２の送信画像保存エリア１０２ｂから取り出し、Ｗｅｂ画面５００の送信ボックスに保存する。
【００４１】
次いで、ステップＳ３０４において、送信側の画像形成装置１００は、受信側の画像形成装置１００に対してＳＩＰによる呼制御を送信すると、受信側の画像形成装置１００は、送信側の画像形成装置１００のＩＰアドレスを取得する。次いで、ステップＳ３０５において、受信側の画像形成装置１００は、呼制御に対する応答として「留守通知」を、送信側の画像形成装置１００に送信する。
【００４２】
次いで、ステップＳ３０６において、送信側の画像形成装置１００は、受信側の画像形成装置１００に対してＳＩＰによる呼制御解除を送信する。次いで、ステップＳ３０７において、受信側の画像形成装置１００は、呼制御解除に対する応答として「OK」を、送信側の画像形成装置１００に送信する。
【００４３】
次いで、ステップＳ３０８において、留守番電話の設定が解除されると、受信側の画像形成装置１００は、送信側の画像形成装置１００に対してＳＩＰによる呼制御を送信する。次いで、ステップＳ３０９において、送信側の画像形成装置１００は、呼制御に対する応答として「OK」を、受信側の画像形成装置１００に送信する。
【００４４】
次いで、ステップＳ３１０において、受信側の画像形成装置１００は、送信側の画像形成装置１００に対してＨＴＴＰｇｅｔによる画像要求を送信する。次いで、ステップＳ３１１において、送信側の画像形成装置１００は、Ｗｅｂ画面５００から送信ボックスの画像を受信側の画像形成装置１００に送信する。受信側の画像形成装置１００は、この画像を画像印刷部１１０に出力することで、取得した画像を印刷する。
【００４５】
次いで、ステップＳ３１２において、受信側の画像形成装置１００は、送信側の画像形成装置１００に対してＳＩＰによる呼制御解除を送信し、留守番電話設定中の画像印刷要求処理を終了する。次いで、ステップＳ３１３において、送信側の画像形成装置１００は、呼制御解除に対する応答として「OK」を、受信側の画像形成装置１００に送信し、留守番電話設定中の画像印刷要求処理を終了する。
【００４６】
次に、画像形成システム１０における留守番電話設定中の画像印刷要求及び音声通話要求処理の手順について、図６を用いて説明する。留守番電話設定中の画像印刷要求及び音声通話要求処理は、送信側の画像形成装置１００から留守番電話が設定されている受信側の画像形成装置１００に対して画像印刷要求と音声通話要求処理を送信し、受信側の画像形成装置１００は留守番電話の設定が解除されると画像を受信して印刷を行い、また録音された音声を再生する処理である。まず、ユーザーが送信側の画像形成装置１００の操作パネル１０４からＷｅｂ画面５００の表示要求を行うと、操作パネル処理部１０５が制御部１０１にＷｅｂ画面５００の表示要求を出力する。制御部１０１がＷｅｂ画面５００の表示要求を入力すると、Ｗｅｂ画面処理部１０１ａを起動する。Ｗｅｂ画面処理部１０１ａが起動されることで、留守番電話設定中の画像印刷要求及び音声通話要求処理が開始される。なお、留守番電話設定中の画像印刷要求及び音声通話要求処理は、Ｗｅｂ画面５００からＷｅｂサーバー３００のアプリケーションを使用することで行われる。以下、図６に示す留守番電話設定中の画像印刷要求及び音声通話要求処理についてステップ順に説明する。
【００４７】
まず、ステップＳ４０１において、送信側のＷｅｂ画面処理部１０１ａは、Ｗｅｂサーバー３００に対してＨＴＴＰｇｅｔによるＷｅｂ画面５００の要求を送信する。次いで、ステップＳ４０２において、送信側のＷｅｂ画面処理部１０１ａがＷｅｂサーバー３００からＷｅｂ画面５００を受信すると、Ｗｅｂ画面５００を操作パネル１０４に表示する。
【００４８】
次いで、ステップＳ４０３において、送信側の画像形成装置１００は、送信する画像を補助記憶部１０２の送信画像保存エリア１０２ｂから取り出し、Ｗｅｂ画面５００の送信ボックスに保存する。
【００４９】
次いで、ステップＳ４０４において、送信側の画像形成装置１００は、受信側の画像形成装置１００に対してＳＩＰによる呼制御を送信すると、受信側の画像形成装置１００は、送信側の画像形成装置１００のＩＰアドレスを取得する。次いで、ステップＳ４０５において、受信側の画像形成装置１００は、呼制御に対する応答として「留守通知」を、送信側の画像形成装置１００に送信する。
【００５０】
次いで、ステップＳ４０６において、送信側の画像形成装置１００は、送信する音声を補助記憶部１０２の録音音声保存エリア１０２ｃから取り出し、Ｗｅｂ画面５００の送信ボックスに保存する。
【００５１】
次いで、ステップＳ４０７において、送信側の画像形成装置１００は、画像印刷要求と音声通話要求を受信側のＷｅｂ画面処理部１０１ａに送信すると、受信側の画像形成装置１００は、画像印刷要求と音声通話要求を補助記憶部１０２の留守番電話情報保存エリア１０２ｄに保存する。
【００５２】
次いで、ステップＳ４０８において、送信側の画像形成装置１００は、受信側の画像形成装置１００に対してＳＩＰによる呼制御解除を送信する。次いで、ステップＳ４０９において、受信側の画像形成装置１００は、呼制御解除に対する応答として「OK」を、送信側の画像形成装置１００に送信する。
【００５３】
次いで、ステップＳ４１０において、留守番電話の設定が解除されると、受信側の画像形成装置１００は、送信側の画像形成装置１００に対してＳＩＰによる呼制御を送信する。次いで、ステップＳ４１１において、送信側の画像形成装置１００は、呼制御に対する応答として「OK」を、受信側の画像形成装置１００に送信する。
【００５４】
次いで、ステップＳ４１２において、受信側の画像形成装置１００は、送信側の画像形成装置１００に対してＨＴＴＰｇｅｔによるＷｅｂ画面５００の要求を送信する。次いで、ステップＳ４１３において、送信側の画像形成装置１００は、補助記憶部１０２のＷｅｂ画面情報保存エリア１０２ａからＷｅｂ画面５００の情報を取り出し、受信側の画像形成装置１００に送信する。受信側の画像形成装置１００は、このＷｅｂ画面５００の情報により取り出したＷｅｂ画面５００を操作パネル１０４に表示する。
【００５５】
次いで、ステップＳ４１４において、受信側の画像形成装置１００は、送信側の画像形成装置１００に対してＨＴＴＰｇｅｔによる画像要求を送信する。次いで、ステップＳ４１５において、送信側の画像形成装置１００は、Ｗｅｂ画面５００から送信ボックスの画像を受信側の画像形成装置１００に送信する。受信側の画像形成装置１００は、この画像を画像印刷部１１０に出力することで、取得した画像を印刷する。
【００５６】
次いで、ステップＳ４１６において、受信側の画像形成装置１００は、送信側の画像形成装置１００に対してＨＴＴＰｇｅｔによる音声要求を送信する。次いで、ステップＳ４１７において、送信側の画像形成装置１００は、Ｗｅｂ画面５００から送信ボックスの音声を受信側の画像形成装置１００に送信する。受信側の画像形成装置１００は、この音声を音声処理部１０８に出力することで、音声を再生する。
【００５７】
次いで、ステップＳ４１８において、受信側の画像形成装置１００は、送信側の画像形成装置１００に対してＳＩＰによる呼制御解除を送信し、留守番電話設定中の画像印刷要求及び音声通話要求処理を終了する。次いで、ステップＳ４１９において、送信側の画像形成装置１００は、呼制御解除に対する応答として「OK」を、受信側の画像形成装置１００に送信し、留守番電話設定中の画像印刷要求及び音声通話要求処理を終了する。
【００５８】
以上により、実施形態の画像形成装置１００は、予め決められたＷｅｂサーバー３００から提供されるＷｅｂ画面５００を操作パネルに表示し、画像と音声の送信操作を行うことができる。また、受信側の画像形成装置１００は、送信側の画像形成装置１００から提供されるＷｅｂ画面５００の情報を受信することで、送信側と同じＷｅｂ画面５００を操作パネルに表示することができるので、画像と音声の受信操作を行うことができる。このようにＷｅｂサーバー３００から提供されるＷｅｂ画面５００を使用することで、特定のアプリケーションを画像形成装置１００にインストールすることなく、画像の送受信と音声の送受信を１つのコネクションで共有することができるので、通話中でも画像を送受信することができる。また、ＳＩＰによるコネクションを確立するときにＩＰアドレスをお互いに認識できるので、Ｔ３８、ＲＴＰ、ＨＴＴＰ、及びＦＴＰなどのプロトコルが使用可能となる。また、受信側の画像形成装置１００に留守番電話が設定されているときでも、送信側の画像形成装置１００に録音された音声と保存されている画像を留守番電話の設定が解除される任意のタイミングで、受信側の画像形成装置１００に送信することができる。また、このように録音された音声と送信する画像を送信側の画像形成装置１００に保存することで、受信が頻繁に行われる画像形成装置１００のメモリ消費を抑制することができる。
【００５９】
なお、実施形態の画像形成システムにおいては、送信側と受信側の２台の画像形成装置１００で送受信を行う例について説明したが、複数の画像形成装置１００で送受信を行うことができる。また、画像形成装置１００には、ＳＩＰが搭載され、画像の送信または音声の録音が可能な携帯端末とすることも可能である。このような携帯端末であれば、送信側を携帯端末とし受信側を画像形成装置１００とするシステム構成、送信側を画像形成装置１００とし受信側を携帯端末とするシステム構成、または送信側と受信側の両方を携帯端末とするシステム構成が可能である。
【００６０】
このような本発明の画像形成装置及び画像形成システムは、ゲートウェイ装置を設置することなくＳＩＰを用いることで、通話中または留守番電話に設定されているときでも画像印刷要求と音声通話要求を送信することができる。
【００６１】
以上、具体的な実施の形態により本発明を説明したが、上記実施の形態は本発明の例示であり、この実施の形態に限定されないことは言うまでもない。
【産業上の利用可能性】
【００６２】
本発明は、画像形成装置及び画像形成システムに好適であるが、画像形成装置及び画像形成システムに限られるものではなく、ＳＩＰが搭載され画像及び音声が送受信される装置一般に適用できる。
【符号の説明】
【００６３】
１０・・・・・画像形成システム
１００・・・・・画像形成装置
１０１・・・・・制御部
１０１ａ・・・・Ｗｅｂ画面処理部
１０２・・・・・補助記憶部
１０２ａ・・・・Ｗｅｂ画面情報保存エリア
１０２ｂ・・・・送信画像保存エリア
１０２ｃ・・・・録音音声保存エリア
１０２ｄ・・・・留守番電話情報保存エリア
１０３・・・・・記憶部
１０３ａ・・・・原稿画像データ保存エリア
１０４・・・・・操作パネル
１０５・・・・・操作パネル処理部
１０６・・・・・原稿読取部
１０７・・・・・画像形成部
１０８・・・・・音声処理部
１０９・・・・・ネットワーク通信部
１１０・・・・・画像印刷部
２００・・・・・ＳＩＰサーバー
３００・・・・・Ｗｅｂサーバー
４００・・・・・ネットワーク
５００・・・・・Ｗｅｂ画面
【図１】
2015005912.tif 000003
【図２】
2015005912.tif 000004
【図３】
2015005912.tif 000005
【図４】
2015005912.tif 000006
【図５】
2015005912.tif 000007
【図６】
2015005912.tif 000008